(57)【要約】【課題】磁極歯毎に複数本のコイル線材を巻き付ける磁極集中巻き構造において、コイル形状のバラツキを低減して電気特性を向上できる磁極集中巻き構造を提供することを目的とする。【課題手段】ステータ１において、電機子コア２の放射状に突出する複数の磁極歯３の夫々に、複数本の線材を巻き付けて励磁コイル６、７を形成するステータの磁極集中巻き構造であって、磁極歯３の周囲に周方向に突出する仕切り５が備えられ、線材の本数の分だけ線材を巻き付けるスペースが画成され、仕切り５を介して、コイル６、７が別々に巻き付けられている。【選択図】図１
2008035646.tif 000002
【特許請求の範囲】
【請求項１】
ステータにおいて、電機子コアの放射状に突出する複数の磁極歯の夫々に、複数本の線材を巻き付けて励磁コイルを形成するステータの磁極集中巻き構造であって、
前記磁極歯の周囲に周方向に突出する仕切りを備え、前記線材の本数の分だけ、該線材を巻き付けるスペースが画成され、
前記仕切りを介して、前記磁極歯に前記複数本の線材が別々に巻き付けられている、
ことを特徴とするステータの磁極集中巻き構造。
【請求項２】
前記磁極歯を覆うようにインシュレータが着脱自在に設けられ、該インシュレータに前記仕切りが一体に構成され、該インシュレータを介して前記線材が巻き付けられている、
ことを特徴とする請求項１に記載のステータの磁極集中巻き構造。
【発明の詳細な説明】
【技術分野】
【０００１】
本発明は、放射状に複数の磁極歯を有する電機子コアを備えたステータにおいて、磁極歯毎にコイルを巻き線する磁極集中巻き構造に関する。
【背景技術】
【０００２】
従来、放射状に複数の磁極歯を有する電機子コアを備えたステータにおいて、磁極歯にコイルを集中巻きする際に、所定の電流容量を満足すると共に、コイル線材と磁極歯との間隙を低減して磁束密度を向上させるために、磁極歯に沿って複数本の線材を多層に巻き付ける磁極集中巻き構造が知られている(例えば、特許文献１参照)。
【特許文献１】特開２００５−３１２１８２号公報
【発明の開示】
【発明が解決しようとする課題】
【０００３】
しかしながら、従来の磁極集中巻き構造によれば、磁極歯に複数本のコイル線材を巻き付ける際に、これらの線材が互いに交叉して、コイルの形状にバラツキが生じる虞があり、更に、改善の余地があった。
【０００４】
そこで、本発明は、磁極歯毎に複数本のコイル線材を巻き付ける磁極集中巻き構造において、コイル形状のバラツキを低減して電気特性を向上できる磁極集中巻き構造を提供することを目的とする。
【課題を解決するための手段】
【０００５】
かかる目的を達成するためになされた請求項１に記載の発明は、ステータにおいて、電機子コアの放射状に突出する複数の磁極歯の夫々に、複数本の線材を巻き付けて励磁コイルを形成するステータの磁極集中巻き構造であって、前記磁極歯の周囲に周方向に突出する仕切りを備え、前記線材の本数の分だけ、該線材を巻き付けるスペースが画成され、前記仕切りを介して、前記磁極歯に前記複数本の線材が別々に巻き付けられている、ことを特徴とする。
【０００６】
請求項１に記載のステータの磁極集中巻き構造によれば、磁極歯の周囲に周方向に突出する仕切りを突設し、線材の本数の分だけ、線材を巻き付けるスペースが画成され、仕切りを介して、複数本の線材が別々に巻き付けられているので、複数本の線材が互いに交叉することなく、コイル形状のバラツキが低減して電気特性を向上できる。
【０００７】
次に、請求項２に記載の発明は、請求項１に記載のステータの磁極集中巻き構造において、前記磁極歯を覆うようにインシュレータが着脱自在に設けられ、該インシュレータに前記仕切りが一体に構成され、該インシュレータを介して前記線材が巻き付けられている、ことを特徴とする。
【０００８】
請求項２に記載のステータの磁極集中巻き構造によれば、磁極歯を覆うようにインシュレータが着脱自在に設けられ、インシュレータに仕切りが一体に構成され、このインシュレータを介して線材が巻きつけられているので、線材の径や巻き数などに応じてインシュレータを最適なものに変更でき、延いては、コイル形状のバラツキを低減して電気特性を向上できる。
【発明の効果】
【０００９】
本発明のステータの磁極集中巻き構造は、磁極歯の周囲に周方向に突出する仕切りを突設し、線材の本数の分だけ、線材を巻き付けるスペースが画成され、仕切りを介して、複数本の線材が別々に巻き付けられているので、複数本の線材が互いに交叉することなく、コイル形状のバラツキが低減して電気特性を向上できる。
【００１０】
また、本発明のステータの磁極集中巻き構造は、磁極歯を覆うようにインシュレータが着脱自在に設けられ、インシュレータに仕切りが一体に構成され、このインシュレータを介して線材が巻き付けられているので、線材の径や巻き数などに応じてインシュレータを最適なものに変更でき、延いては、コイル形状のバラツキを低減して電気特性を向上できる。
【発明を実施するための最良の形態】
【００１１】
次に、本発明の一実施例のステータの磁極集中巻き構造を、図面にもとづいて説明する。図１は、本発明が適用された一実施例の、ステータの磁極集中巻き構造を表す構成図であって、（ｂ）図は（ａ）図におけるＺ−Ｚ断面図である。
【００１２】
図２は、図１におけるＱ部詳細であって、（ｂ）図は（ａ）図における矢視Ｐ方向から表した図である。尚、（ｂ）図においては、線材を省いて図示している。
【００１３】
図１におけるステータ１は、ロータ（図示せず）が内側に配置されるインナーロータ型電気モータに用いられる。インナーロータ型電気モータは、ステータが、内周面から内径側に向けて放射状に突出する複数の磁極歯３を備えた電機子コア２と、各磁極歯３に集中巻きされた励磁コイル６、７とを備え、励磁コイル６、７に電流を供給して電機子コア２を励磁させ、ロータを回転させるように構成されている。
【００１４】
電機子ジョア３は、櫛歯環状に打ち抜かれて両面が絶縁被覆された薄い電磁鋼板が軸方向に積層されて略円筒状形成されている。
【００１５】
また、電機子コア２には、磁極歯３を覆うと共に周方向に突出する仕切り５を備えたインシュレータ４が装着され、仕切り５を介して、コイル６とコイル７が別々に巻き付けられて、Ｕ、Ｖ、Ｗの三相の励磁コイル６、７が、交互に３個ずつ構成されている。
【００１６】
コイル６とコイル７は、夫々の巻始め側が引き出されて結線されると共に、夫々の巻終わり側が引き出されて結線されている。また、コイル６とコイル７は、Ｕ相、Ｖ相、Ｗ相毎に結線され、巻始め側と巻終わり側との間に通電されて磁極歯３を励磁するように構成されている。
【００１７】
インシュレータ４は、図２（ｂ）に表したように、一対のインシュレータ４ａ、４ｂが係合して構成されている。また、インシュレータ４ａには径方向（図中の矢印Ｙ方向）に弾性変位する突起部４ｃが形成され、インシュレータ４ｂには突起部４ｃが係合する係止溝４ｄが形成されている。そして、インシュレータ４ａ、４ｂは、突起部４ｃを径方向に変位させることにより、着脱自在に構成されている。
【００１８】
以下に、前記の構成を有する実施例の、ステータの磁極集中巻き構造の作用及び効果を記載する。
【００１９】
本実施例のステータ１の磁極集中巻き構造は、電機子コア２の磁極歯３の周囲に周方向に突出する仕切り５を突設し、線材の本数の分だけ、線材を巻き付けるスペースを画成し、仕切り５を介して、複数本の線材を別々に巻き付けているので、複数本の線材が互いに交叉することなく、コイル６、７の形状のバラツキが低減して電気特性を向上できる。
【００２０】
また、本実施例のステータ１の磁極集中巻き構造は、インシュレータ４が、一対のインシュレータ４ａ、４ｂによって着脱自在に構成され、且つ、インシュレータ４に仕切り５が一体に構成され、インシュレータ４を介して線材が巻き付けられているので、コイル６、７の線材の径や巻き数などに応じてインシュレータ４を最適なものに変更でき、延いては、コイル６、７の形状のバラツキを低減して電気特性を向上できる。
【００２１】
以上、本発明の一実施例について説明したが、本発明は、前記実施例に限定されるものではなく、種々の態様をとることができる。例えば、本実施例において、インシュレータ４の周りに、二本の線材を巻き付けて二つの励磁コイル６、７を構成したが、さらに線材の本数を増やし、その線材毎に仕切りで画成するようにコイルを形成してもよい。また、必要に応じて、励磁コイル６及び励磁コイル７の、線材の径、巻き数を相異なるものにしてもよい。また、励磁コイル６及び励磁コイル７間の、巻き径を相異なるものにしてもよい。その際には、励磁コイル６及び励磁コイル７の夫々の巻き径に合わせて、インッシュレータを形成すればよい。
【図面の簡単な説明】
【００２２】
【図１】本発明が適用された一実施例の、図１は、ステータの磁極集中巻き構造を表す構成図であって、（ｂ）図は（ａ）図におけるＺ−Ｚ断面図である。
【００２３】
【図２】図１におけるＱ部詳細であって、（ｂ）図は（ａ）図における矢視Ｐ方向から表した図である。
【符号の説明】
【００２４】
１…ステータ、２…電機子コア、３…磁極歯、４，４ａ，４ｂ…インシュレータ、４ｃ…突起部、４ｄ…係止溝、５…仕切り、６，７…励磁コイル。
【図１】
2008035646.tif 000003
【図２】
2008035646.tif 000004